(57)【要約】【課題】無線通信の伝搬環境に基づいて、オフセット値を設定することにより、通信開始時にも、適切なＨＳ−ＳＣＣＨの送信電力を設定する無線通信制御システム、無線基地局及び無線通信制御方法を提供する。【解決手段】複数の移動局に対して制御信号を送信する共有制御チャネルの送信電力を制御する無線通信制御システム１０は、各移動局に個別に送信される個別チャネルの送信電力にオフセットをかけることによって、共有制御チャネルの新規の送信電力を設定する新規送信電力設定部１３を備え、オフセットは、無線通信の伝搬環境に基づいて設定される。【選択図】図２
2006295834.tif 000002
【特許請求の範囲】
【請求項１】
複数の移動局に対して制御信号を送信する共有制御チャネルの送信電力を制御する無線通信制御システムであって、
各移動局に個別に送信される個別チャネルの送信電力にオフセットをかけることによって、前記共有制御チャネルの新規の送信電力を設定する新規送信電力設定部を備え、
前記オフセットは、無線通信の伝搬環境に基づいて設定されることを特徴とする無線通信制御システム。
【請求項２】
前記新規送信電力設定部は、前記無線通信の伝搬環境として、伝搬環境のフェージング周波数、移動局の移動速度、上りリンクのチャネル推定結果の時間相関値の少なくともいずれか１を用いることを特徴とする請求項１に記載の無線通信制御システム。
【請求項３】
前記新規送信電力設定部は、前記無線通信の伝搬環境として、伝搬環境のパスの数、下りリンクのＳＩＲ、移動局から通知される無線品質情報の少なくともいずれか１を用いることを特徴とする請求項１に記載の無線通信制御システム。
【請求項４】
前記新規送信電力設定部は、前記無線通信の伝搬環境として、前記移動局がソフトハンドオーバ状態であるか否かであることを用いることを特徴とする請求項１に記載の無線通信制御システム。
【請求項５】
前記新規送信電力設定部は、通信の開始時、ハンドオーバの開始時、ハンドオーバの終了時、上位レイヤからシグナリングされた時のいずれか１のタイミングで、前記共有制御チャネルの新規の送信電力を設定することを特徴とする請求項１〜４のいずれか１項に記載の無線通信制御システム。
【請求項６】
前記新規送信電力設定部は、所定の時間間隔の間、前記共有制御チャネルが送信されなかった場合に、前記共有制御チャネルの新規の送信電力を設定することを特徴とする請求項１〜４のいずれか１項に記載の無線通信制御システム。
【請求項７】
複数の移動局に対して制御信号を送信する共有制御チャネルの送信電力を制御する無線基地局であって、
各移動局に個別に送信される個別チャネルの送信電力にオフセットをかけることによって、前記共有制御チャネルの新規の送信電力を設定する新規送信電力設定部を備え、
前記オフセットは、無線通信の伝搬環境に基づいて設定されることを特徴とする無線基地局。
【請求項８】
複数の移動局に対して制御信号を送信する共有制御チャネルの送信電力を制御する無線通信制御方法であって、
各移動局に個別に送信される個別チャネルの送信電力にオフセットをかけることによって、前記共有制御チャネルの新規の送信電力を設定するステップを含み、
前記オフセットは、無線通信の伝搬環境に基づいて設定されることを特徴とする無線通信制御方法。
【発明の詳細な説明】
【技術分野】
【０００１】
本発明は、無線通信制御システム、無線基地局及び無線通信制御方法に関する。
【背景技術】
【０００２】
近年、上述の無線通信制御システムとして、ＩＭＴ−２０００において、より高速な下りリンクのパケット伝送方式であり、ピーク伝送速度の高速化や低伝送遅延や高スループット化等を目的とした「ＨＳＤＰＡ(High Speed Downlink Packet Access)方式」が仕様化されている（例えば、非特許文献１参照。）。
【０００３】
ＨＳＤＰＡは、１つの物理チャネルを複数の移動局で時間分割して共有して通信を行う伝送方式であり、瞬時、瞬時において、より無線品質の良い移動局にチャネルを割り当てるため、システム全体のスループットを向上させることが可能となる。
【０００４】
上述のように、１つの物理チャネルを複数の移動局で時間分割して共有して通信を行うためには、各ＴＴＩ（Transmission Time Interval）において、どの移動局がどの物理チャネルを用いて通信するかを通知する必要があるが、ＨＳＤＰＡ方式では、ＨＳ−ＳＣＣＨ（High Speed-Shared Control Channel）という共有制御チャネルを用いて複数の移動局に対して上述の通知を行っている。
【０００５】
ここで、無線基地局が、上記ＨＳ−ＳＣＣＨに割り当てる送信電力として、各移動局に個別に設定される付随個別チャネルＡ−ＤＰＣＨ（Associated-Dedicated Physical Channel）にオフセットをかけた値を設定する方法が開示されている（例えば、特許文献１参照。）。特許文献１では、上記オフセットの値は、上記ＨＳ−ＳＣＣＨの通信品質、例えば、ブロック誤り率に基づいて制御されることが記載されている。
【非特許文献１】「3rd Generation Partnership Project」,インターネット＜http://3gpp.org＞
【特許文献１】特開２００４−３１２５３０号公報
【発明の開示】
【発明が解決しようとする課題】
【０００６】
しかしながら、特許文献１に記載の制御方法では、通信開始時には、まだ通信が行われていないために、上記ＨＳ−ＳＣＣＨの通信品質を取得することができない。又、ＨＳ−ＳＣＣＨと、Ａ−ＤＰＣＨとでは、ＴＴＩ長や符号化方法が大きく異なるため、上記オフセット値の最適値は、無線通信の伝搬環境、例えば、フェージング周波数やパス数、ＳＩＲに関して異なるという課題があった。
【０００７】
そこで、本発明は、上記の課題に鑑み、無線通信の伝搬環境に基づいて、オフセット値を設定することにより、通信開始時にも、適切なＨＳ−ＳＣＣＨの送信電力を設定する無線通信制御システム、無線基地局及び無線通信制御方法を提供することを目的とする。
【課題を解決するための手段】
【０００８】
上記目的を達成するため、本発明の第１の特徴は、複数の移動局に対して制御信号を送信する共有制御チャネルの送信電力を制御する無線通信制御システムであって、各移動局に個別に送信される個別チャネルの送信電力にオフセットをかけることによって、共有制御チャネルの新規の送信電力を設定する新規送信電力設定部を備え、オフセットは、無線通信の伝搬環境に基づいて設定される無線通信制御システムであることを要旨とする。
【０００９】
本発明の第１の特徴に係る無線通信制御システムによると、無線通信の伝搬環境に基づいて、オフセット値を設定することにより、通信開始時にも、適切なＨＳ−ＳＣＣＨの送信電力を設定することができる。
【００１０】
又、第１の特徴に係る無線通信制御システムにおいて、新規送信電力設定部は、無線通信の伝搬環境として、伝搬環境のフェージング周波数、移動局の移動速度、上りリンクのチャネル推定結果の時間相関値の少なくともいずれか１を用いてもよい。
【００１１】
又、第１の特徴に係る無線通信制御システムにおいて、新規送信電力設定部は、無線通信の伝搬環境として、伝搬環境のパスの数、下りリンクのＳＩＲ、移動局から通知される無線品質情報の少なくともいずれか１を用いてもよい。
【００１２】
又、第１の特徴に係る無線通信制御システムにおいて、新規送信電力設定部は、無線通信の伝搬環境として、移動局がソフトハンドオーバ状態であるか否かであることを用いてもよい。
【００１３】
又、第１の特徴に係る無線通信制御システムにおいて、新規送信電力設定部は、通信の開始時、ハンドオーバの開始時、ハンドオーバの終了時、上位レイヤからシグナリングされた時のいずれか１のタイミングで、共有制御チャネルの新規の送信電力を設定してもよい。
【００１４】
又、第１の特徴に係る無線通信制御システムにおいて、新規送信電力設定部は、所定の時間間隔の間、共有制御チャネルが送信されなかった場合に、共有制御チャネルの新規の送信電力を設定してもよい。
【００１５】
本発明の第２の特徴は、複数の移動局に対して制御信号を送信する共有制御チャネルの送信電力を制御する無線基地局であって、各移動局に個別に送信される個別チャネルの送信電力にオフセットをかけることによって、共有制御チャネルの新規の送信電力を設定する新規送信電力設定部を備え、オフセットは、無線通信の伝搬環境に基づいて設定される無線基地局であることを要旨とする。
【００１６】
本発明の第２の特徴に係る無線基地局によると、無線通信の伝搬環境に基づいて、オフセット値を設定することにより、通信開始時にも、適切なＨＳ−ＳＣＣＨの送信電力を設定することができる。
【００１７】
本発明の第３の特徴は、複数の移動局に対して制御信号を送信する共有制御チャネルの送信電力を制御する無線通信制御方法であって、各移動局に個別に送信される個別チャネルの送信電力にオフセットをかけることによって、共有制御チャネルの新規の送信電力を設定するステップを含み、オフセットは、無線通信の伝搬環境に基づいて設定される無線通信制御方法であることを要旨とする。
【００１８】
本発明の第３の特徴に係る無線通信制御方法によると、無線通信の伝搬環境に基づいて、オフセット値を設定することにより、通信開始時にも、適切なＨＳ−ＳＣＣＨの送信電力を設定することができる。
【発明の効果】
【００１９】
本発明によると、無線通信の伝搬環境に基づいて、オフセット値を設定することにより、通信開始時にも、適切なＨＳ−ＳＣＣＨの送信電力を設定する無線通信制御システム、無線基地局及び無線通信制御方法を提供することができる。
【発明を実施するための最良の形態】
【００２０】
次に、図面を参照して、本発明の実施の形態を説明する。以下の図面の記載において、同一又は類似の部分には、同一又は類似の符号を付している。ただし、図面は模式的なものであることに留意すべきである。
【００２１】
（無線通信制御システムの構成）
本発明の実施形態に係る無線通信制御システムの構成について、図１及び図２を参照して説明する。
【００２２】
本実施形態に係る無線通信制御システム１０の全体構成図を、図１に示す。図１に示すように、本実施形態に係る無線通信制御システム１０は、複数の移動局ＵＥ２０ａ、２０ｂ、２０ｃ、２０ｄと無線接続されている無線基地局装置ＢＳ３０と、当該無線基地局装置ＢＳ３０を管理する無線制御装置ＲＮＣ４０とによって構成されている。尚、本実施形態では、無線基地局装置ＢＳと無線通信を行う移動局の数を「４」としているが、「４」以外の数であってもよい。
【００２３】
尚、本実施形態では、無線基地局装置ＢＳ３０及び無線制御装置ＲＮＣ４０によって無線通信制御システムが構成されている場合について説明するが、本発明は、かかる場合に限定されるものではなく、無線基地局装置ＢＳ３０のみによって無線通信制御システム１０が構成される場合や、無線制御装置ＲＮＣ４０のみによって無線通信制御システム１０が構成される場合にも適用可能である。
【００２４】
又、本実施形態に係る無線通信制御システム１０は、Ｗ−ＣＤＭＡ方式を用いたＩＭＴ−２０００システムにおいて、ＨＳＤＰＡ方式を適用した場合に、複数の移動局ＵＥ２０ａ。２０ｂ、２０ｃ、２０ｄに対して制御信号を送信する共有制御チャネル（以下、ＨＳ−ＳＣＣＨ）の新規の送信電力を制御するものである。
【００２５】
ここで、移動局ＵＥ２０ａ、２０ｂ、２０ｃ、２０ｄは、ＨＳＤＰＡ方式を用いて無線基地局装置ＢＳ３０と無線通信を行う移動局であり、それぞれ上りリンクを用いてＨＳ−ＳＣＣＨに付随する個別チャネル（以下、Ａ−ＤＰＣＨ）の送信電力制御のための送信電力制御コマンド（ＴＰＣコマンド）を無線基地局装置ＢＳ３０に報告する。
【００２６】
本実施形態に係る無線通信制御システム１０は、図２に示すように、複数のＡ−ＤＰＣＨ送信電力制御部１１ａ、１１ｂ、１１ｃ、１１ｄと、スイッチ１２と、新規送信電力設定部１３と、伝搬環境推定部１４と、ＨＳ−ＳＣＣＨ送信電力制御部１５とを具備している。尚、図２においては、上記無線通信制御システム１０のうち、ＨＳ−ＳＣＣＨの送信電力を制御し、設定する部分のみを記載している。
【００２７】
Ａ−ＤＰＣＨ送信電力制御部１１ａ、１１ｂ、１１ｃ、１１ｄは、移動局ＵＥ２０ａ、２０ｂ、２０ｃ、２０ｄのそれぞれに対して設けられているものであって、各移動局ＵＥ２０ａ、２０ｂ、２０ｃ、２０ｄから送信された送信電力制御コマンドを用いて、各移動局ＵＥ２０ａ、２０ｂ、２０ｃ、２０ｄのＡ−ＤＰＣＨの送信電力制御を行う。
【００２８】
スイッチ１２は、ＴＴＩ毎に、ＨＳ−ＳＣＣＨ及びＨＳ−ＰＤＳＣＨ（トランスポートチャネルではＨＳ−ＤＳＣＨ）を割り当てるようにスケジューリングされた移動局ＵＥのＡ−ＤＰＣＨの送信電力を、当該移動局ＵＥの識別情報とともに、ＨＳ−ＳＣＣＨ送信電力制御部１５に送信する。
【００２９】
新規送信電力設定部１３は、伝搬環境推定部１４より、当該ＴＴＩにおいてＨＳ−ＳＣＣＨ及びＨＳ−ＤＳＣＨに割り当てるようにスケジューリングされた移動局ＵＥの下りリンクの伝搬環境情報である、フェージング周波数、パス数、ＳＩＲを取得する。又、当該ＴＴＩにおいてＨＳ−ＳＣＣＨ及びＨＳ−ＤＳＣＨを割り当てるようにスケジューリングされた移動局ＵＥが、上記ＨＳ−ＳＣＣＨを新規に受信するか否かを判定し、上記移動局ＵＥが、上記ＨＳ−ＳＣＣＨを新規に受信すると判定した場合には、上記伝搬環境情報に基づいて、上記ＨＳ−ＳＣＣＨの送信電力を設定するための、上記Ａ−ＤＰＣＨの送信電力に対するオフセットの値を算出し、上記オフセットの値を、ＨＳ−ＳＣＣＨ送信電力制御部１５に送信する。
【００３０】
例えば、新規送信電力設定部１３は、当該ＴＴＩにおいてＨＳ−ＳＣＣＨ及びＨＳ−ＤＳＣＨを割り当てるようにスケジューリングされた移動局ＵＥが、上記ＨＳ−ＳＣＣＨを新規に受信すると判定した場合に、伝搬環境推定部１４より取得したフェージング周波数に基づいて、例えば、図３に示すような参照テーブル（１）を用いて、オフセット値を算出して、ＨＳ−ＳＣＣＨ送信電力制御部１５に送信してもよい。例えば、伝搬環境推定部１４より取得したフェージング周波数が５０Ｈｚの場合には、参照テーブル（１）を参照し、オフセット値として９ｄＢを、ＨＳ−ＳＣＣＨ送信電力制御部１５に送信する。
【００３１】
又、例えば、新規送信電力設定部１３は、当該ＴＴＩにおいてＨＳ−ＳＣＣＨ及びＨＳ−ＤＳＣＨを割り当てるようにスケジューリングされた移動局ＵＥが、上記ＨＳ−ＳＣＣＨを新規に受信すると判定した場合に、伝搬環境推定部１４より取得したパス数に基づいて、例えば、図３に示すような参照テーブル（２）を用いて、オフセット値を算出して、ＨＳ−ＳＣＣＨ送信電力制御部１５に送信してもよい。例えば、伝搬環境推定部１４より取得したパス数が２の場合には、参照テーブル（２）を参照し、オフセット値として９ｄＢを、ＨＳ−ＳＣＣＨ送信電力制御部１５に送信する。
【００３２】
又、例えば、新規送信電力設定部１３は、当該ＴＴＩにおいてＨＳ−ＳＣＣＨ及びＨＳ−ＤＳＣＨを割り当てるようにスケジューリングされた移動局ＵＥが、上記ＨＳ−ＳＣＣＨを新規に受信すると判定した場合に、伝搬環境推定部１４より取得したＳＩＲに基づいて、例えば、図３に示すような参照テーブル（３）を用いて、オフセット値を算出して、ＨＳ−ＳＣＣＨ送信電力制御部１５に送信しても良い。例えば、伝搬環境推定部１４より取得したＳＩＲが１０ｄＢの場合には、参照テーブル（３）を参照し、オフセット値として７ｄＢを、ＨＳ−ＳＣＣＨ送信電力制御部１５に送信する。
【００３３】
尚、上記例においては、上記フェージング周波数、パス数、ＳＩＲのいずれか１つに基づいてオフセット値を算出したが、上記フェージング周波数、パス数、ＳＩＲのうち２つ以上を用いてオフセット値を算出してもよい。
【００３４】
図３の参照テーブル（４）に、フェージング周波数とパス数から、オフセット値を算出するテーブルを示す。例えば、伝搬環境推定部１４より取得したフェージング周波数が１５Ｈｚで、かつ、伝搬環境推定部１４より取得したパス数が２である場合には、参照テーブル（４）を参照し、オフセット値として７ｄＢを、ＨＳ−ＳＣＣＨ送信電力制御部１５に送信する。
【００３５】
又、例えば、新規送信電力設定部１３は、当該ＴＴＩにおいてＨＳ−ＳＣＣＨ及びＨＳ−ＤＳＣＨを割り当てるようにスケジューリングされた移動局ＵＥが、上記ＨＳ−ＳＣＣＨを新規に受信すると判定した場合に、上記移動局ＵＥがソフトハンドオーバ状態であるか否かに基づいて、上記オフセット値を算出して、ＨＳ−ＳＣＣＨ送信電力制御部１５に送信してもよい。この場合、例えば、図３に示す参照テーブル（１）〜（４）は、ソフトハンドオーバ状態と非ソフトハンドオーバ状態の２種類を保持し、ソフトハンドオーバ状態であるか否かに応じた参照するテーブルを参照し、オフセット値を決定する。
【００３６】
ソフトハンドオーバ状態と非ソフトハンドオーバ状態で、参照テーブルを２種類保持する理由を以下に説明する。移動局がソフトハンドオーバ状態に存在する場合、個別チャネルであるＡ−ＤＰＣＨは同時に複数のセルと通信を行うが、ＨＳ−ＳＣＣＨは単一のセルとのみ通信を行う。この場合、Ａ−ＤＰＣＨの送信電力は、ソフトハンドオーバによりダイバーシチ効果により、小さくなるため、Ａ−ＤＰＣＨとＨＳ−ＳＣＣＨとの間のオフセット値は、ソフトハンドオーバ状態と非ソフトハンドオーバ状態とで、その最適値は異なることになる。以上が、参照テーブルを２種類保持する理由となる。
【００３７】
又、例えば、新規送信電力設定部１３は、当該ＴＴＩにおいてＨＳ−ＳＣＣＨ及びＨＳ−ＤＳＣＨを割り当てるようにスケジューリングされた移動局ＵＥが上記ＨＳ−ＳＣＣＨを新規に受信すると判定した場合に、上記移動局ＵＥの下りリンクの伝搬環境情報に関係なく、常に同一のオフセット値を、ＨＳ−ＳＣＣＨ送信電力制御部１５に通知してもよい。
【００３８】
又、以下に、新規送信電力設定部１３が、当該ＴＴＩにおいてＨＳ−ＳＣＣＨ及びＨＳ−ＤＳＣＨを割り当てるようにスケジューリングされた移動局ＵＥが上記ＨＳ−ＳＣＣＨを新規に受信するか否かを判定する判定方法を記載する。
【００３９】
例えば、新規送信電力設定部１３は、上記移動局ＵＥが、通信を開始してから初回にＨＳ−ＳＣＣＨを受信する場合に、上記移動局ＵＥが上記ＨＳ−ＳＣＣＨを新規に受信すると判定してもよい。
【００４０】
又、例えば、新規送信電力設定部１３は、上記移動局ＵＥが、非ソフトハンドオーバ状態からソフトハンドオーバ状態に遷移してから、初めてＨＳ−ＳＣＣＨを受信する場合に、上記移動局ＵＥが上記ＨＳ−ＳＣＣＨを新規に受信すると判定してもよい。
【００４１】
又、例えば、新規送信電力設定部１３は、上記移動局ＵＥが、ソフトハンドオーバ状態から非ソフトハンドオーバ状態に遷移してから、初めてＨＳ−ＳＣＣＨを受信する場合に、上記移動局ＵＥが上記ＨＳ−ＳＣＣＨを新規に受信すると判定してもよい。
【００４２】
ここで、上記Ａ−ＤＰＣＨは、ソフトハンドオーバ状態においては、複数のセルと通信を行うが、上記ＨＳ−ＳＣＣＨは、ソフトハンドオーバ状態においても、単一のセルとのみ通信を行うため、上記オフセット値の最適値が異なる可能性が生じる。よって、ソフトハンドオーバ状態と非ソフトハンドオーバ状態の間の遷移を行なう際に、新規にＨＳ−ＳＣＣＨの送信電力を制御することにより、より最適なオフセット値を用いて通信を行うことが可能となる。
【００４３】
又、例えば、新規送信電力設定部１３は、上記移動局ＵＥが前回ＨＳ−ＳＣＣＨを受信してから、当該ＴＴＩにおいてＨＳ−ＳＣＣＨを受信するまでの時間が、所定の時間間隔を超える場合に、上記移動局ＵＥが上記ＨＳ−ＳＣＣＨを新規に受信すると判定してもよい。すなわち、上記所定の時間間隔が２０秒である場合に、前回のＨＳ−ＳＣＣＨを受信してから当該ＴＴＩにおいてＨＳ−ＳＣＣＨを受信するまでの時間が３０秒であったとすると、上記移動局ＵＥが上記ＨＳ−ＳＣＣＨを新規に受信すると判定する。
【００４４】
又、例えば、新規送信電力設定部１３は、上述レイヤのシグナリングに基づいて、あるいは、上記ノードからのシグナリングに基づいて、上記移動局ＵＥが上記ＨＳ−ＳＣＣＨを新規に受信すると判定してもよい。すなわち、無線制御装置ＲＮＣから無線基地局装置ＢＳに対して、上記移動局ＵＥが上記ＨＳ−ＳＣＣＨを新規に受信するとシグナリングした場合に、新規送信電力設定部１３は、上記移動局ＵＥが上記ＨＳ−ＳＣＣＨを新規に受信すると判定する。あるいは、無線制御装置ＲＮＣから無線基地局装置ＢＳに対して、上記移動局ＵＥに関する上記オフセットの値をシグナリングした場合に、新規送信電力設定部１３は、上記移動局ＵＥが上記ＨＳ−ＳＣＣＨを新規に受信すると判定する。
【００４５】
又、新規送信電力設定部１３は、設定するオフセットの値として、所要の品質よりも良好な品質となるように、オフセットの値をより大きい値に設定してもよい。このように、本来の値よりも大きいオフセットの値を設定することにより、ＨＳ−ＳＣＣＨの通信開始時に、安定した品質で通信を行うことが可能となる。
【００４６】
伝搬環境推定部１４は、各移動局ＵＥの下りリンクの伝搬環境情報である、フェージング周波数、パス数、ＳＩＲを取得し、上記下りリンクの伝搬環境情報を、新規送信電力設定部１３に通知する。
【００４７】
ここで、フェージング周波数の取得方法としては、例えば、上りリンクのパイロット信号の時間相関値や、パイロット信号より求まるチャネル推定値の時間相関値を用いてフェージング周波数を推定することができる。又、例えば、移動局がその移動速度をＧＰＳによる位置情報や移動局が存在する乗り物からの情報（速度メータの値）等に基づいて推定し、上記推定された移動速度を上りリンクを用いて無線基地局に通知し、上記移動局から通知された移動速度に基づいてフェージング周波数を推定してもよい。
【００４８】
又、パス数は、上りリンクのパイロット信号を用いてパスサーチを行い、パス数を取得することができる。又、上記パス数は、瞬時の値でもよく、又、所定の平均化区間で平均された値でもよい。
【００４９】
又、ＳＩＲは、例えば、移動局ＵＥが、上りリンクにおけるＨＳＤＰＡ用の制御チャネルであるＨＳ−ＤＰＣＣＨを用いて送信されるＣＱＩから求めることができる。例えば、ＳＩＲは、以下の式（１）
ＳＩＲ＝ＣＱＩ−３．５            ……式（１）
という変換式を用いて取得することが可能である。
【００５０】
ＨＳ−ＳＣＣＨ送信電力制御部１５は、当該ＴＴＩにおけるＨＳ−ＳＣＣＨの送信電力を制御する。本発明は、ＨＳ−ＳＣＣＨの通信の開始時、すなわち、当該ＴＴＩにおいてＨＳ−ＳＣＣＨ及びＨＳ−ＤＣＳＨを割り当てるようにスケジューリングされた移動局ＵＥが、上記ＨＳ−ＳＣＣＨを新規に受信する場合に関してのものであるため、上記移動局ＵＥが、上記ＨＳ−ＳＣＣＨを新規に受信する場合の機能を以下に説明し、上記以外の場合の機能の記述は省略する。
【００５１】
ＨＳ−ＳＣＣＨ送信電力制御部１５は、当該ＴＴＩにおいてＨＳ−ＳＣＣＨ及びＨＳ−ＤＳＣＨを割り当てられるようにスケジューリングされた移動局ＵＥが、上記ＨＳ−ＳＣＣＨを新規に受信する場合に、新規送信電力設定部１３より、上記ＨＳ−ＳＣＣＨの送信電力を設定するための、上記Ａ−ＤＰＣＨの送信電力に対するオフセットの値を取得し、上記Ａ−ＤＰＣＨの送信電力と、上記オフセットの値とに基づいて、ＨＳ−ＳＣＣＨの送信電力を設定する。すなわち、以下に示す式（２）に基づいて、ＨＳ−ＳＣＣＨの送信電力を設定する。
【００５２】
（ＨＳ−ＳＣＣＨの送信電力）＝（Ａ−ＤＰＣＨの送信電力）＋（オフセットの値）               ……式（２）
（無線通信制御方法）
次に、図４を参照して、本実施形態に係る無線通信制御システム１０の動作を説明する。図４は、Ｗ−ＣＤＭＡ方式を用いたＩＭＴ−２０００システムにおいて、ＨＳＤＰＡ方式でＨＳ−ＳＣＣＨの新規の送信電力制御を行う動作の一例をフローチャートに示したものである。
【００５３】
ステップＳ１０１において、新規送信電力設定部１３は、当該ＴＴＩにおいてＨＳ−ＳＣＣＨ及びＨＳ−ＤＳＣＨを割り当てるようにスケジューリングされた移動局ＵＥが上記ＨＳ−ＳＣＣＨを新規に受信するか否かを判定する。そして、上記移動局ＵＥが、上記ＨＳ−ＳＣＣＨを新規に受信すると判定した場合には、ステップＳ１０２に進み、上記ＨＳ−ＳＣＣＨを新規に受信しないと判定した場合には、ＨＳ−ＳＣＣＨの送信電力を新規に設定する必要がないと判断し、本処理を終了する。
【００５４】
次に、ステップＳ１０２において、新規送信電力設定部１３は、当該ＴＴＩにおいてＨＳ−ＳＣＣＨ及びＨＳ−ＤＳＣＨを割り当てるようにスケジューリングされた移動局ＵＥの下りリンクの伝搬環境情報を取得する。ここで、下りリンクの伝搬環境情報とは、上述したように、フェージング周波数やパス数、ＳＩＲ等である。
【００５５】
次に、ステップＳ１０３において、新規送信電力設定部１３は、上記移動局ＵＥの下りリンクの伝搬環境情報に基づいて、上記ＨＳ−ＳＣＣＨの送信電力を設定するための、上記Ａ−ＤＰＣＨの送信電力に対するオフセットの値を設定する。
【００５６】
次に、ステップＳ１０４において、新規送信電力設定部１３は、上記ＨＳ−ＳＣＣＨのための、上記オフセットの値と、上記Ａ−ＤＰＣＨの送信電力とに基づいて、ＨＳ−ＳＣＣＨの新規の送信電力を設定する。
【００５７】
尚、本発明に係る無線通信制御システム及び無線通信制御方法の適用範囲は、Ｗ−ＣＤＭＡ方式のＩＭＴ−２０００システムにおける高速パケット伝送システムであるＨＳＤＰＡ方式に限らず、ＣＤＭＡ−ＴＤＤ方式やＣＤＭＡ２０００方式、あるいは１ｘＥＶ−ＤＯ方式等の高速パケット伝送システムにおいても有効である。
【００５８】
次に、図５に、図４のステップＳ１０１における、新規送信電力設定部１３が、上記移動局ＵＥが上記ＨＳ−ＳＣＣＨを新規に受信するか否かを判定する動作を、フローチャートを用いて説明する。
【００５９】
まず、ステップＳ２０１において、新規送信電力設定部１３は、当該ＴＴＩにおいてＨＳ−ＳＣＣＨ及びＨＳ−ＤＳＣＨを割り当てるようにスケジューリングされた移動局ＵＥが、通信を開始してから、初めてＨＳ−ＳＣＣＨを受信するか否かを判定し、初めてＨＳ−ＳＣＣＨを受信すると判定した場合には、ステップＳ２０７に進み、初めてＨＳ−ＳＣＣＨを受信しないと判定した場合には、ステップＳ２０２に進む。
【００６０】
次に、ステップＳ２０２において、新規送信電力設定部１３は、上記移動局ＵＥが、非ソフトハンドオーバ状態からソフトハンドオーバ状態に遷移してから、初めてＨＳ−ＳＣＣＨを受信するか否かを判定し、初めてＨＳ−ＳＣＣＨを受信すると判定した場合には、ステップＳ２０７に進み、初めてＨＳ−ＳＣＣＨを受信しないと判定した場合には、ステップＳ２０３に進む。
【００６１】
次に、ステップＳ２０３において、新規送信電力設定部１３は、上記移動局ＵＥが、ソフトハンドオーバ状態から非ソフトハンドオーバ状態に遷移してから、初めてＨＳ−ＳＣＣＨを受信するか否かを判定し、初めてＨＳ−ＳＣＣＨを受信すると判定した場合には、ステップＳ２０７に進み、初めてＨＳ−ＳＣＣＨを受信しないと判定した場合には、ステップＳ２０４に進む。
【００６２】
次に、ステップＳ２０４において、新規送信電力設定部１３は、上記移動局ＵＥが、前回ＨＳ−ＳＣＣＨを受信してから、当該ＴＴＩにおいてＨＳ−ＳＣＣＨを受信するまでの時間が、所定の時間間隔を超えるか否かを判定し、所定の時間間隔を超えると判定した場合には、ステップＳ２０７に進み、所定の時間間隔を超えないと判定した場合には、ステップＳ２０５に進む。
【００６３】
次に、ステップＳ２０５において、新規送信電力設定部１３は、上記移動局ＵＥのＨＳ−ＳＣＣＨの新規送信に関する上位レイヤのシグナリングが存在するか否かを判定し、上記シグナリングが存在すると判定した場合には、ステップＳ２０７に進み、上記シグナリングが存在しないと判定した場合には、ステップＳ２０６に進む。
【００６４】
次に、ステップＳ２０６においては、新規送信電力設定部１３は、上記移動局ＵＥは、当該ＴＴＩにおいて、ＨＳ−ＳＣＣＨを新規に受信しないと判定する。
【００６５】
一方、ステップＳ２０７においては、新規送信電力設定部１３は、上記移動局ＵＥは、当該ＴＴにおいて、ＨＳ−ＳＣＣＨを新規に受信すると判定する。
【００６６】
（作用及び効果）
本実施形態に係る無線通信制御システム１０によれば、無線通信の伝搬環境に基づいて、オフセット値を設定することにより、当該移動局が、共有制御チャネル（ＨＳ−ＳＣＣＨ）を新規に受信する際に、適切な通信品質で上記ＨＳ−ＳＣＣＨを受信することができるように、上記ＨＳ−ＳＣＣＨの新規の送信電力を設定することが可能となる。結果として、通信開始時から安定した通信品質を提供することが可能となる。
【００６７】
又、通信開始時だけでなく、ソフトハンドオーバ状態と非ソフトハンドオーバ状態との間の遷移時にも、適切なＨＳ−ＳＣＣＨの送信電力を新規に設定することが可能となる。結果として、ソフトハンドオーバ状態と非ソフトハンドオーバ状態との間の遷移時にも安定した通信品質を提供することが可能となる。
【００６８】
又、本実施形態に係る無線通信制御システム１０の新規送信電力設定部１３は、無線通信の伝搬環境として、伝搬環境のフェージング周波数、移動局の移動速度、上りリンクのチャネル推定結果の時間相関値の少なくともいずれか１を用いることができる。このため、適切なＨＳ−ＳＣＣＨの送信電力を設定することができる。
【００６９】
又、本実施形態に係る無線通信制御システム１０の新規送信電力設定部１３は、無線通信の伝搬環境として、伝搬環境のパスの数、下りリンクのＳＩＲ、移動局から通知される無線品質情報（ＣＱＩ）の少なくともいずれか１を用いることができる。このため、適切なＨＳ−ＳＣＣＨの送信電力を設定することができる。
【００７０】
又、本実施形態に係る無線通信制御システム１０の新規送信電力設定部１３は、通信の開始時、ハンドオーバの開始時、ハンドオーバの終了時、上位レイヤからシグナリングされた時のいずれか１のタイミングで、共有制御チャネルの新規の送信電力を設定することができる。このため、当該移動局が、共有制御チャネル（ＨＳ−ＳＣＣＨ）を新規に受信する際に、適切な通信品質で上記ＨＳ−ＳＣＣＨを受信することができる
又、本実施形態に係る無線通信制御システム１０の新規送信電力設定部１３は、所定の時間間隔の間、共有制御チャネルが送信されなかった場合に、共有制御チャネルの新規の送信電力を設定することができる。このため、所定の時間間隔が経過した場合、上記ＨＳ−ＳＣＣＨを新規に受信すると判定することができる。
【００７１】
（その他の実施の形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００７２】
例えば、図１において、無線通信制御システム１０は、無線基地局装置ＢＳ３０及び無線制御装置ＲＮＣ４０によって構成されていると説明したが、図２に示す各構成要件（Ａ−ＤＰＣＨ送信電力制御部１１ａ、１１ｂ、１１ｃ、１１ｄ、スイッチ１２、新規送信電力設定部１３、伝搬環境推定部１４、ＨＳ−ＳＣＣＨ送信電力制御部１５）は、無線基地局装置ＢＳ３０内に配置されても良い。同様に、図２に示す各構成要件（Ａ−ＤＰＣＨ送信電力制御部１１ａ、１１ｂ、１１ｃ、１１ｄ、スイッチ１２、新規送信電力設定部１３、伝搬環境推定部１４、ＨＳ−ＳＣＣＨ送信電力制御部１５）は、無線制御装置ＲＮＣ４０内に配置されてもよい。
【００７３】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００７４】
【図１】本実施形態に係る無線通信制御システムの全体構成図である。
【図２】本実施形態に係る無線通信制御システムの機能ブロック図である。
【図３】本実施形態に係る無線通信制御システムにおいて、伝搬環境からオフセット値を算出するための参照テーブルの一例である。
【図４】本実施形態に係る無線通信制御方法を示すフローチャートである（その１）。
【図５】本実施形態に係る無線通信制御方法を示すフローチャートである（その２）。
【符号の説明】
【００７５】
１０…移動通信システム
２０ａ、２０ｂ、２０ｃ、２０ｄ…移動局
３０…無線基地局装置
４０…無線制御装置
１１ａ、１１ｂ、１１ｃ、１１ｄ…Ａ−ＤＰＣＨ送信電力制御部
１２…スイッチ
１３…新規送信電力設定部
１４…伝搬環境推定部
１５…ＨＳ−ＳＣＣＨ送信電力制御部
【図１】
2006295834.tif 000003
【図２】
2006295834.tif 000004
【図３】
2006295834.tif 000005
【図４】
2006295834.tif 000006
【図５】
2006295834.tif 000007